(57)【要約】【課題】ユーザが表示装置に表示された操作画面を見ながら、画像処理装置の操作をできるように、操作画面を表示する。【解決手段】スキャナ１がディスプレイ２に対して移動自在に設けられる。ユーザがスキャナ１を操作するとき、パーソナルコンピュータ３は、スキャナ１の位置を検出する。パーソナルコンピュータ３は、スキャナ１の位置に対向するように、操作画面Ａの表示位置を決める。ディスプレイ２において、スキャナ１を操作するユーザの近くに、操作画面Ａが表示される。ユーザがスキャナ１を移動すると、ディスプレイ２に表示されている操作画面Ａがスキャナ１の移動に応じて移動する。【選択図】図１
2009025944.tif 000002
【特許請求の範囲】
【請求項１】
画像を処理する画像処理装置と、入力された画像を表示する表示装置と、表示装置に画像処理装置の操作画面を表示するように表示装置を制御する制御装置とを備え、画像処理装置が表示装置に対して移動自在に設けられ、制御装置は、画像処理装置に対する操作位置に応じて操作画面の表示位置を変えることを特徴とする画像表示システム。
【請求項２】
表示装置の周縁に画像処理装置が配され、操作位置として画像処理装置の位置を検出する検出部が設けられ、制御装置は、画像処理装置の位置に対向するように操作画面の表示位置を決めることを特徴とする請求項１記載の画像表示システム。
【請求項３】
画像処理装置は、表示装置に沿って移動自在とされ、制御装置は、画像処理装置の移動に応じて、表示している操作画面を画像処理装置の移動方向と同じ方向に移動させることを特徴とする請求項１または２記載の画像表示システム。
【請求項４】
制御装置は、操作画面を最小化して移動させることを特徴とする請求項３記載の画像表示システム。
【請求項５】
画像処理装置は、水平方向あるいは垂直方向に移動可能とされ、制御装置は、画像処理装置の移動方向とは異なる方向における操作画面の表示位置を決めることを特徴とする請求項３記載の画像表示システム。
【請求項６】
制御装置は、画像処理装置の位置を認識できないとき、操作画面を予め設定された標準位置に表示することを特徴とする請求項２記載の画像表示システム。
【請求項７】
制御装置は、操作画面の表示位置を変更するモードと、操作画面を固定位置に表示するモードとを有し、選択されたモードを実行することを特徴とする請求項２記載の画像表示システム。
【請求項８】
制御装置は、画像処理装置の動作中、操作画面に動作状況を表示し、動作が終了すると、操作画面の表示を終了することを特徴とする請求項３記載の画像表示システム。
【請求項９】
画像処理装置が画像を処理しようとするとき、制御装置は、画像処理装置からの起動命令により、操作画面を表示することを特徴とする請求項８記載の画像表示システム。
【請求項１０】
画像処理装置は画像入力装置とされ、画像入力装置は、原稿がセットされたことを検出すると、制御装置に起動命令を出力することを特徴とする請求項９記載の画像表示システム。
【請求項１１】
画像処理装置は画像出力装置とされ、制御装置は、画像出力装置に画像の出力を依頼するとき、操作画面を表示することを特徴とする請求項８記載の画像表示システム。
【請求項１２】
表示装置に、移動自在な載置台が設けられ、画像処理装置が載置台に載置され、検出部は載置台の位置を検出することを特徴とする請求項３記載の画像表示システム。
【請求項１３】
載置台は、表示装置の下辺に沿って水平方向に移動自在とされたことを特徴とする請求項１２記載の画像表示システム。
【請求項１４】
載置台は、表示装置の側辺に沿って垂直方向に移動自在とされ、載置台は、移動した位置に固定機構によって固定されることを特徴とする請求項１２記載の画像表示システム。
【発明の詳細な説明】
【技術分野】
【０００１】
本発明は、スキャナや複合機等の画像処理装置から入力された画像を表示する画像表示システムに関する。
【背景技術】
【０００２】
原稿から読み取った画像を入力するスキャナは、パーソナルコンピュータの画像入力装置として、さらにコピーやファクシミリ機能を有する画像処理装置における画像入力装置として広く用いられている。
【０００３】
ユーザは、スキャナに原稿をセットした後、スキャナの操作パネルを操作して、読取条件を設定する。スタートボタンの操作により、スキャンが開始する。また、スキャナを接続したパーソナルコンピュータの表示装置に、スキャナの操作画面が表示される。ユーザは、マウス等のポインティングデバイスを用いて、操作画面上で入力操作する。この指示がパーソナルコンピュータからスキャナに伝えられ、スキャナが動作する。
【０００４】
特許文献１には、スキャナの操作パネルに表示される操作画面と同じ操作画面をパーソナルコンピュータの表示装置に表示することが記載されている。これによって、ユーザの操作性がよくなる。
【特許文献１】特開２００２−２８１１９５号公報
【発明の開示】
【発明が解決しようとする課題】
【０００５】
近年、表示装置として用いられる液晶ディスプレイが大型化され、会議やプレゼンテーションに利用される。ユーザは、表示装置の前を行き来しながら、発表する。このとき、スキャナが表示装置の近傍に配置され、ユーザは、スキャナを操作して、入力した画像を表示装置に表示させる。表示装置には、スキャナの操作画面が表示され、ユーザは、この操作画面上で入力操作して、スキャナを動作させる。
【０００６】
ところで、操作画面は、表示装置の決められた位置に表示される。操作画面の表示位置とスキャナの設置された位置とが離れていると、ユーザの操作性が悪くなる。ユーザが操作画面をドラッグすれば、操作画面をスキャナの近くで表示させることができる。しかし、ユーザはドラッグする操作をしなければならず、依然として操作性に問題が残っている。
【０００７】
本発明は、上記に鑑み、ユーザが表示装置に表示された操作画面を見ながら、スキャナ等の画像処理装置を操作できるように、操作画面を表示する画像表示システムの提供を目的とする。
【課題を解決するための手段】
【０００８】
本発明は、画像を入力する画像処理装置と、入力された画像を表示する表示装置と、表示装置に画像処理装置の操作画面を表示するように表示装置を制御する制御装置とを備え、画像処理装置が表示装置に対して移動自在に設けられ、制御装置は、画像処理装置に対する操作位置に応じて操作画面の表示位置を変えるものである。
【０００９】
ユーザは画像処理装置の近くで操作する。そのため、画像処理装置のある位置、あるいはユーザのいる位置が操作位置となる。この操作位置に対して、画像処理装置の操作画面が表示される。ユーザは、すぐ近くで操作画面を見たり、操作することができ、かつ画像処理装置を直接操作することができる。
【００１０】
表示装置の周縁に画像処理装置が配され、操作位置として画像処理装置の位置を検出する検出部が設けられ、制御装置は、画像処理装置の位置に対向するように操作画面の表示位置を決める。画像処理装置の位置と表示装置における操作画面の表示位置とが近接し、操作するユーザは動き回らなくてもよい。
【００１１】
画像処理装置は表示装置に沿って移動自在とされ、制御装置は、画像処理装置の移動に応じて、表示している操作画面を画像処理装置の移動方向と同じ方向に移動させる。画像処理装置が移動したとき、操作画面も同じ方向に移動して、両者が常に近接した状態が維持される。このとき、制御装置は、操作画面を最小化して移動する。これにより、表示装置に表示されている画像への影響をなくせる。
【００１２】
画像処理装置は、水平方向あるいは垂直方向に移動可能とされ、制御装置は、画像処理装置の移動方向とは異なる方向における操作画面の表示位置を決める。画像処理装置が水平方向に移動するとき、操作画面も水平方向に移動する。このとき、制御装置は、垂直方向における操作画面の表示位置を決める。画像処理装置が垂直方向に移動するとき、操作画面も垂直方向に移動する。このとき、制御装置は、水平方向における操作画面の表示位置を決める。これによって、ユーザの視線やユーザの位置に応じて、水平方向あるいは垂直方向の表示位置が決められ、ユーザは操作画面を見やすくなる。
【００１３】
制御装置は、画像処理装置の位置を認識できないとき、操作画面を予め設定された標準位置に表示する。必ず操作画面は表示されるので、ユーザの操作に影響を及ぼさない。
【００１４】
制御装置は、操作画面の表示位置を変更するモードと、操作画面を固定位置に表示するモードとを有し、選択されたモードを実行する。操作画面を固定したい場合に、モードを選択することができるので、ユーザの使い勝手がよくなる。
【００１５】
制御装置は、画像処理装置の動作中、操作画面に動作状況を表示し、動作が終了すると、操作画面の表示を終了する。画像処理装置の動作中は、常に操作画面が表示される。そして、画像処理装置の動作状況がわかり、エラーが発生した場合、すぐに対処できる。
【００１６】
画像処理装置が画像を処理しようとするとき、制御装置は、画像処理装置からの起動命令により、操作画面を表示する。例えば、画像処理装置がスキャナといった画像入力装置の場合、スキャナは、原稿がセットされたことを検出すると、制御装置に起動命令を出力する。
【００１７】
画像処理装置がプリンタ、ファクシミリ装置といった画像出力装置の場合、制御装置は、画像出力装置に画像の出力を依頼するとき、操作画面を表示する。
【００１８】
このように、ユーザが操作を開始したとき、自動的に操作画面が表示される。これによって、ユーザの手間を省ける。
【００１９】
表示装置に、移動自在な載置台が設けられ、画像処理装置が載置台に載置される。検出部は載置台の位置を検出する。載置台が移動することにより、画像処理装置が移動するので、検出部が載置台の位置を検出すれば、画像処理装置の位置が検出される。
【００２０】
載置台は、表示装置の下辺に沿って水平方向に移動自在とされる。あるいは、載置台は、表示装置の側辺に沿って垂直方向に移動自在とされる。この場合、載置台は、移動した位置に固定機構によって固定される。したがって、画像処理装置は、表示装置の周縁に沿って移動する。そして、この画像処理装置に対向するように、操作画面が表示され、画像処理装置と操作画面とは、常にユーザの近くに存在する。
【発明の効果】
【００２１】
本発明によると、画像処理装置に対する操作位置に応じて、表示装置に操作画面が表示されることにより、画像処理装置の位置と操作画面の表示位置とが常に近接する。そのため、ユーザは、画像処理装置を操作しながら表示装置の操作画面を確認したり、入力操作したりすることができ、ユーザの操作性が向上する。特に、大画面の表示装置の前で移動自在な画像処理装置を使用する場合に有用である。
【発明を実施するための最良の形態】
【００２２】
本実施形態の画像表示システムを図１に示す。本画像表示システムは、スキャナ１と、ディスプレイ２と、パーソナルコンピュータ３とから構成される。スキャナ１は、画像を入力する画像入力装置、すなわち画像処理装置であり、ディスプレイ２は、入力された画像を表示する表示装置であり、パーソナルコンピュータ３は、画像処理装置および表示装置を制御する制御装置である。なお、画像処理装置は、コピー、プリント、スキャン、ＦＡＸ通信およびドキュメントファイリングを実行する複合機であってもよい。
【００２３】
パーソナルコンピュータ３は、図２に示すように、装置自身を統括的に制御するＣＰＵ１０、各種のプログラムやデータ等を記憶するＲＯＭ１１、各種のデータを一時的に記憶するワークエリアとして用いられるＲＡＭ１２、各種のプログラムや画像のデータ等を記憶するハードディスク装置（ＨＤＤ）１３、ＵＳＢを通じてスキャナと通信するためのＵＳＢＩ／Ｆ１４、ディスプレイ２を接続するディスプレイＩ／Ｆ１５、キーボード１６やマウス１７等のポインティングデバイスを接続する入力Ｉ／Ｆ１８を備えている。
【００２４】
パーソナルコンピュータ３に、ディスプレイ２がケーブルを介して接続され、スキャナ１がＵＳＢケーブルを介して接続される。なお、パーソナルコンピュータ３とスキャナ１とがＬＡＮ等のネットワークに接続してもよい。また、ディスプレイ２もネットワークに接続してもよい。
【００２５】
パーソナルコンピュータ３では、ＣＰＵ１０がソフトウェアにしたがって各種のデバイスを制御する。図３に示すように、基本ソフトウェアとしてオペレーティングシステム２０が搭載され、このオペレーティングシステム２０上でスキャナドライバ２１を含むアプリケーション２２が動作する。ドライバは、マウス１７、キーボード１６、ディスプレイ２、スキャナ１などの周辺機器を動作させる。
【００２６】
スキャナドライバ２１は、図４に示すように、スキャンを制御する制御部２５、操作画面の表示を行う表示処理部２６、スキャンに必要な各種情報を記憶するメモリを制御する記憶部２７、読み取った画像に対する画像処理を行う画像処理部２８を備えている。
【００２７】
スキャナドライバ２１は、スキャナ１に連動して動作し、ディスプレイ２に表示する操作画面を作成して、ディスプレイ２に出力する。また、操作画面を通じて入力された情報をスキャナ１に伝える。
【００２８】
スキャナ１は、セットされた原稿を設定されたスキャン条件にしたがって読み取る。入力された画像は、パーソナルコンピュータ３に送信される。パーソナルコンピュータ３のＣＰＵ１０は、画像をハードディスク装置１３に保存する。また、ＣＰＵ１０は、入力された画像を表示するように、ディスプレイ２を駆動制御する。スキャナ１から入力された画像がディスプレイ２に表示される。
【００２９】
本画像表示システムでは、スキャナ１は、ディスプレイ２に対して移動自在に設けられている。図５に示すように、ディスプレイ２の下辺に、載置台３０が吊り下げられ、載置台３０にスキャナ１が載置される。これによって、スキャナ１は、ディスプレイ２に対向して配置される。載置台３０は、ディスプレイ２に形成されたレール３１に沿って水平方向にスライドする。ユーザが載置台３０を押すことによって、載置台３０は移動する。なお、載置台３０をモータによって移動させてもよい。例えば、載置台３０にねじ棒が通され、ねじ棒を回転させるモータが設けられる。モータの駆動により、ねじ棒が正逆回転し、載置台３０が往復動する。
【００３０】
そして、ディスプレイ２に、載置台３０の位置を検出する検出部３２が設けられる。検出部３２は、リニアエンコーダを用いる。あるいは、複数の光センサやリミットスイッチを水平方向に並べてもよい。
【００３１】
検出部３２は、載置台３０の位置に応じた検出信号をパーソナルコンピュータ３のＣＰＵ１０に出力する。ＣＰＵ１０は、検出信号に基づいて載置台３０の位置を判別する。これによって、ディスプレイ２に対するスキャナ１の位置が検出される。
【００３２】
大画面のディスプレイ２は、会議やプレゼンテーションのときに利用される。すなわち、ユーザは、ディスプレイ２の前に立って、表示された画像を指し示して、説明する。このとき、ユーザは、スキャナ１を操作して、画像を入力しながら説明する場合がある。スキャナ１が動作するとき、パーソナルコンピュータ３は、スキャン条件の設定を行うために、ディスプレイ２に図６に示すような操作画面Ａを表示する。
【００３３】
操作画面Ａには、ファイリング、送信等の実行するアプリケーションの設定、保存するときのＰＤＦなどのファイル形式の設定、カラーモード、エッジ強調、解像度などのスキャンに関する設定といった各種の設定項目が表示される。
【００３４】
スキャナ１は移動自在であるため、スキャナ１に対するユーザの操作位置は変わる。パーソナルコンピュータ３は、ユーザの操作位置に応じて操作画面の表示位置を変える。ここで、検出部３２が検出したスキャナ１の位置が操作位置に当たる。ＣＰＵ１０は、検出されたスキャナ１の位置に対向するように、操作画面の表示位置を決める。これによって、スキャナ１の傍らで操作するユーザは、すぐ近くに操作画面を見ることができる。
【００３５】
この操作画面を表示するときの手順を図７にしたがって説明する。パーソナルコンピュータ３、スキャナ１およびディスプレイ２は、１つの電源によって管理されている。すなわち、パーソナルコンピュータ３の電源がオンされると、スキャナ１およびディスプレイ２に電源が供給され、それぞれ待機状態となる。ユーザがスキャナ１に原稿をセットすると、スキャナ１の原稿検出センサが原稿を検出し、スキャナ１は、起動命令をパーソナルコンピュータ３に出力する（Ｓ１）。
【００３６】
パーソナルコンピュータ３は、スキャナ１からの起動命令を受信すると、ＣＰＵ１０が、スキャナドライバ２１を起動する（Ｓ２）。そして、ＣＰＵ１０は、現在のスキャナ１の位置を検出する（Ｓ３）。すなわち、ＣＰＵ１０は、ディスプレイ２の検出部３２からの検出信号に基づき、載置台３０の位置を読み取る。ＣＰＵ１０は、載置台３０の位置を確認できる（Ｓ４）と、載置台３０の位置に対応する表示位置を決める（Ｓ５）。そして、この表示位置にスキャナドライバ２１１により生成された操作画面を表示する（Ｓ７）。例えば、図１に示すように、スキャナ１がディスプレイ２の左側にあるとき、操作画面Ａは左側に表示される。
【００３７】
なお、ＣＰＵ１０は、載置台３０の位置を確認できないとき、操作画面の表示位置を予め設定されている標準位置に決める（Ｓ６）。例えば、操作画面は、ディスプレイ２の右側に表示される（Ｓ７）。
【００３８】
ユーザが原稿の画像を入力しようとスキャナ１を操作するとき、ユーザはスキャン条件を設定する。この操作と同時に、操作画面がディスプレイ２に表示される。スキャナ１と操作画面とは対向する位置関係となる。したがって、スキャナ１の近くにいるユーザは、すぐ近くで操作画面を見ることができる。
【００３９】
ユーザが、マウス１７等を用いて、操作画面上で入力を行い、スキャン条件を設定する。ＣＰＵ１０は、設定されたスキャン条件をスキャナ１に送信する。ユーザが、スキャナ１のスタートキーを操作すると、スキャン条件にしたがってスキャンが行われる。スキャナ１が読み取った画像は、パーソナルコンピュータ３に送信される。パーソナルコンピュータ３は、入力された画像をディスプレイ２に表示する。
【００４０】
スキャン動作中、ＣＰＵ１０は、スキャナ１の位置を監視している。図１に示すように、ユーザが載置台３０を移動させると、ＣＰＵ１０は、検出部３２からの検出信号によって、スキャナ１の位置を認識する。ＣＰＵ１０は、スキャナ１の移動に応じて操作画面Ａの表示位置を変えていき、操作画面Ａを移動するように表示する。
【００４１】
移動する操作画面を表示するとき、ＣＰＵ１０は、操作画面を最小化する。このように操作画面を最小化することにより、システムリソースの消費を減らすことができる。したがって、画面のちらつき等を最小限に抑えて、画質をよくすることができる。
【００４２】
また、スキャン動作中、ＣＰＵ１０は、動作状況を表示する。すなわち、ＣＰＵ１０は、スキャナ１から進行状況に関する情報を取得し、操作画面中に進行状況を表示する。例えば、「スキャン中です。（６０％完了）」といったメッセージを表示する。あるいは、進行状況を示す棒グラフを表示する。これによって、ユーザにスキャン動作の状況を知らせることができる。そして、スキャン動作が終了すると、ＣＰＵ１０は、操作画面の表示を終了する。
【００４３】
ところで、操作画面の表示位置を変える必要がない場合、操作画面は固定位置に表示される。すなわち、操作画面の表示位置を変更する変更モードと、操作画面を固定位置に表示する固定モードとが設けられる。ＣＰＵ１０は、ユーザによって選択されたモードを実行する。
【００４４】
ユーザが固定モードを選択したとき、スキャナ１に原稿がセットされると、ＣＰＵ１０は、スキャナ１の位置に関係なく、操作画面を固定位置に表示する。固定位置としては、表示される画像を隠さないように、ディスプレイ２の左右いずれかの一側とされる。ユーザが変更モードを選択したときは、上記の通り、スキャナ１の位置に応じて操作画面の表示位置が変えられる。
【００４５】
また、操作画面の表示位置は、水平方向だけでなく、垂直方向に変えることができる。図８に表示位置設定画面Ｂを示す。表示位置を上中下のいずれかの位置に設定できる。ＣＰＵ１０は、設定に応じて垂直方向における表示位置を決める。したがって、ユーザの背丈あるいは視線の高さに応じて、垂直方向の位置が決められる。ＣＰＵ１０は、ユーザによって設定された垂直方向の位置に操作画面を表示する。さらに、水平方向の位置も設定できる。ユーザは、左側、中央、右側のいずれかの位置を決めることにより、標準位置および固定位置が設定される。
【００４６】
スキャナ１は、ディスプレイ２の周縁に沿って移動するようにしてもよい。すなわち、スキャナ１が垂直方向に移動する。図９に示すように、ディスプレイ２の一方の側辺あるいは両側辺に、スキャナ１を載置する載置台３０が設けられる。載置台３０は、垂直なガイド棒にスライド自在に支持され、垂直方向に移動自在とされる。載置台３０を垂直方向の任意の位置で固定するための固定機構が設けられる。固定機構として、載置台３０をねじによりディスプレイ２に固定する。ディスプレイ２の側面に、複数のねじ孔を垂直方向に並べて形成する。ユーザは、載置台３０をスライドさせて任意の位置に止め、その位置にあるねじ孔を使って、載置台３０をねじ止めする。
【００４７】
ここで、載置台３０の移動について、載置台３０をシリンダに取り付け、シリンダにより載置台３０を昇降させてもよい。あるいは、モータとねじ棒の組み合わせにより、昇降させてもよい。
【００４８】
検出部３２は、垂直方向における載置台３０の位置を検出する。パーソナルコンピュータ３のＣＰＵ１０は、検出部３２からの検出信号に基づいて、スキャナ１の垂直方向の位置を確認し、この位置に応じて操作画面の表示位置を決める。そして、ユーザが載置台３０を移動させて、スキャナ１の垂直方向の位置を変えると、ＣＰＵ１０は、この移動に応じて操作画面をスキャナ１の移動方向と同じ方向に移動させる。
【００４９】
なお、本発明は、上記実施形態に限定されるものではなく、本発明の範囲内で上記実施形態に多くの修正および変更を加え得ることは勿論である。画像処理装置が複合機である場合、スキャン動作以外に、コピー、ＦＡＸ送信、保存している画像の読み出しといった処理が行われる。このような場合でも、パーソナルコンピュータは、複合機の位置に応じて操作画面の表示位置を決める。
【００５０】
また、画像処理装置としては、スキャナのような画像入力装置だけでなく、プリンタ、ファクシミリ装置といった画像を出力する画像出力装置がある。パーソナルコンピュータは、同様に画像出力装置の位置に応じて操作画面の表示位置を決める。そして、パーソナルコンピュータは、画像出力装置に印刷、ファクシミリ送信といった画像の出力を指示したとき、同時に表示装置に操作画面を表示するように指示する。ネットワークに接続された他のパーソナルコンピュータからの指示により、画像出力装置が画像を出力するとき、画像出力装置は、出力の指示を受けたことをパーソナルコンピュータに通知する。パーソナルコンピュータは、この通知に基づいて操作画面を表示する。
【００５１】
表示装置をタッチパネルとしてもよい。ユーザは、操作画面を直接操作できる。表示装置と制御装置とは別体であるが、一体化してもよい。
【００５２】
画像処理装置と制御装置とをケーブルで接続する代わりに、コードレスとして、両者の間で無線ＬＡＮ、赤外線通信、ブルートゥース（登録商標）といった無線通信を行う。したがって、画像処理装置は、表示装置の周囲を自由に移動可能となる。複数の表示装置に対応することが可能となり、異なる表示装置の前に画像処理装置が移動しても、ユーザは操作画面を見ながら画像処理装置を操作することができる。
【００５３】
無線通信とする場合、検出部は、制御装置に設けるとよい。この検出部は、制御装置に対する画像処理装置の位置を検出する。制御装置と表示装置とは一定の位置関係にあるので、表示装置に対する画像処理装置の位置がわかる。
【００５４】
検出部として、赤外線センサやＣＣＤカメラを用いて、画像処理装置の代わりにユーザの位置を検出してもよい。ユーザが画像処理装置を操作するとき、ユーザは必ず画像処理装置の近くにいる。検出部によって検出されたユーザの位置が、必然的に画像処理装置に対する操作位置となる。
【図面の簡単な説明】
【００５５】
【図１】本発明の画像表示システムの概略構成を示す図
【図２】パーソナルコンピュータの概略ブロック図
【図３】パーソナルコンピュータのソフトウェアの構成を示す図
【図４】スキャナドライバの構成を示す図
【図５】スキャナを載置する載置台を示す図
【図６】スキャン条件を設定するための操作画面を示す図
【図７】操作画面を表示するときのフローチャート
【図８】操作画面の表示位置の設定画面を示す図
【図９】他の形態の画像表示システムの概略構成を示す図
【符号の説明】
【００５６】
１    スキャナ
２    ディスプレイ
３    パーソナルコンピュータ
２１    スキャナドライバ
３０    載置台
３２    検出部
Ａ    操作画面
【図１】
2009025944.tif 000003
【図２】
2009025944.tif 000004
【図３】
2009025944.tif 000005
【図４】
2009025944.tif 000006
【図５】
2009025944.tif 000007
【図６】
2009025944.tif 000008
【図７】
2009025944.tif 000009
【図８】
2009025944.tif 000010
【図９】
2009025944.tif 000011